(57)【要約】【課題】装置多重化を保持したままでシステムを簡略化し、回線とのインピーダンスの整合性がとれる通信装置を得る。【解決手段】有線通信回線１２０を介して制御装置１１０と通信を行う複数の通信手段１３１を備え、各通信手段１３１は、有線通信回線１２０を介したデータ通信のインタフェースとなる回線デバイス１３２と、有線通信回線１２０の終端に配置される抵抗である第２の終端部１３４と、第２の終端部１３４と回線デバイス１３２の間に配置され両者をアイソレーションする第１のＯＰアンプ１３６を備える。さらに、第２の終端部１３４の抵抗値を設定する制御信号する制御回路１３５が各々の通信手段に備えられ、制御回路１３５は、第２の終端部１３４の抵抗値を被制御装置１３０に含まれる通信手段１３１の実装数と有線通信回線１２０の要求する回線インピーダンスの積の値とする。【選択図】        図１
2004320540.tif 000002
【特許請求の範囲】
【請求項１】
有線通信回線を介して通信を行うための通信手段を複数備えた通信装置であって、
各々の通信手段は、
上記有線通信回線の終端に配置される可変抵抗と、
上記有線通信回線を介してデータ通信を行うためのインタフェース機能を持つデバイスと、
上記可変抵抗と上記デバイスの間に配置され、上記デバイス側のインピーダンスを上記可変抵抗側のインピーダンスから独立させる回路素子とを備え、
各々の通信手段に含まれる可変抵抗の抵抗値を、上記通信装置内で稼動する通信手段の実装数に基づいて変更する制御回路を備えたことを特徴とする通信装置。
【請求項２】
制御回路は、各々の通信手段に含まれ、各々の制御回路は、それぞれの通信手段に含まれる可変抵抗の抵抗値を通信装置内で稼動する通信手段の実装数に基づいて変更することを特徴とする請求項１記載の通信装置。
【請求項３】
制御回路は、各々の通信手段に含まれる可変抵抗の抵抗値を通信装置内で稼動する通信手段の実装数と有線通信回線の要求する回線インピーダンスの積の値とすることを特徴とする請求項１または請求項２記載の通信装置。
【請求項４】
有線通信回線を介して通信を行うための通信手段を複数備えた通信装置であって、
上記有線通信回線の終端に配置される第１の抵抗器と、
上記第１の抵抗器と上記通信手段の間に配置され、上記通信手段側のインピーダンスを上記第１の抵抗器側のインピーダンスから独立させる回路素子とを備え、
各々の通信手段は、
上記有線通信回線を介してデータ通信を行うためのインタフェース機能を持つデバイスと、
上記デバイスの終端に配置される第２の抵抗器とを備え、
上記第１の抵抗器の抵抗値は、上記有線通信回線の要求する回線インピーダンスの値であることを特徴とする通信装置。
【発明の詳細な説明】
【０００１】
【発明の属する技術分野】
この発明は、通信装置に関するものである。
【０００２】
【従来の技術】
例えば、通信システムにおける、基地局制御装置と複数の基地局が通信回線で接続されたシステムでは、稼動中の基地局に故障等が起こっても、即座に代わりの基地局を稼動させられるように、システムは多重化構成されている。
【０００３】
このような制御装置と被制御装置が有線通信回線で接続された有線通信システムにおいて被制御装置の多重化を実現する場合、制御装置と被制御装置内の通信手段を１対１で接続するシステム構成が考えられる。このようなシステムでは、制御装置とそれに接続される被制御装置内の通信手段のいくつかが運用系として作動し、残りの通信手段が待機系として作動する。
【０００４】
このような装置構成では、多重化した分だけ制御装置内の通信手段を設けなければならない。また、制御装置と被制御装置を接続する有線通信回線も多重化した分だけ用意しなければならず、システムが簡略化できないという問題がある。
【０００５】
一方、有線通信システムにおいては、装置内の回線終端の抵抗値が、回線の規格で定められたインピーダンスの値を満たすものでなければならない。上記のような装置構成の多重化システムでは、例えば運用系で作動している制御装置あるいは被制御装置内のある通信手段が故障したために待機系の通信手段のいずれかを新たに運用系として作動させる場合でも、各々の通信手段が１対１で対応しているため、その都度終端の抵抗値を変更する必要がない。
【０００６】
なお、回線とのインピーダンス整合を取る方法に関する技術として、例えば特許文献１に開示されたデータインタフェース回路では、通信装置に接続する端子に対してレシーバとドライバの接続切り換えを行うと共に、入出力インピーダンスの切り換えを行う切換回路を設けることにより、インピーダンスの整合を取る技術が示されている。
【０００７】
【特許文献１】
特開昭６２−５６０５１号公報
【０００８】
【発明が解決しようとする課題】
従来は、通信装置を多重化構成とした場合に、回線とのインピーダンス整合はとれるものの、システムの簡略化ができないという問題があった。
【０００９】
この発明は上記のような課題を解決するためになされたもので、装置の多重化を保持したままでシステムの簡略化を実現し、さらに被制御装置の終端におけるインピーダンスの整合性をとることができる通信装置を得ることを目的とする。
【００１０】
【課題を解決するための手段】
この発明に係る通信装置は、有線通信回線を介して通信を行うための通信手段を複数備えた通信装置であって、各々の通信手段は、有線通信回線の終端に配置される可変抵抗と、有線通信回線を介してデータ通信を行うためのインタフェース機能を持つデバイスと、可変抵抗とデバイスの間に配置され、デバイス側のインピーダンスを可変抵抗側のインピーダンスから独立させる回路素子とを備え、各々の通信手段に含まれる可変抵抗の抵抗値を、通信装置内で稼動する通信手段の実装数に基づいて変更する制御回路を備えたものである。
【００１１】
【発明の実施の形態】
以下、この発明の実施の様々な形態を説明する。
実施の形態１．
図１はこの発明の実施の形態１による通信装置を用いた有線通信システムの構成を示すブロック図である。
図に示すように、制御装置１１０と被制御装置１３０（通信装置）が、有線通信回線１２０を介して接続されている。
被制御装置１３０は、例えば無線通信システムにおける基地局であり、制御装置１１０は、例えば、基地局制御装置である。なお、基地局である被制御装置１３０と移動体端末とを含む無線システムは図示していない。
【００１２】
制御装置１１０には、有線通信回線１２０を介して被制御装置１３０と接続する通信手段１１１が備えられており、通信手段１１１内には、回線デバイス１１２が備えられている。
【００１３】
被制御装置１３０には、有線通信回線１２０を介して制御装置１１０と接続する通信手段１３１−１〜１３１−ｎ（ｎは自然数）が備えられている。
ここで、被制御装置１３０はｎ重化された装置である。例えば、通信手段１３１−１〜１３１−ｍ（１＜ｍ＜ｎ）が運用系として稼動している場合には、通信手段１３１−（ｍ＋１）〜１３１−ｎは待機系として待機状態にある。通信手段１３１−ｋ（１≦ｋ≦ｍ）の故障が検出された場合には、通信手段１３１−ｋの作動を停止させ、代わりに待機系のうちのいずれか１つ、例えば通信手段１３１−ｊ（ｍ＋１≦ｊ≦ｎ）が運用系として稼動する。
【００１４】
通信手段１３１−１〜１３１−ｎのそれぞれには、回線デバイス１３２−１〜１３２−ｎ（デバイス）、第１の終端部１３３−１〜１３３−ｎ、第２の終端部１３４−１〜１３４−ｎ、及び制御回路１３５−１〜１３５−ｎが備えられている。
【００１５】
回線デバイス１３２−１〜１３２−ｎは、各通信手段１３１−１〜１３１−ｎが、有線通信回線１２０を介してデータ通信を行うためのインタフェース機能を有している。
第１の終端部１３３−１〜１３３−ｎには、それぞれ第１のＯＰアンプ１３６−１〜１３６−ｎ（回路素子）、及び、抵抗等のデバイスである終端Ａ１３７−１〜１３７−ｎが備えられている。第１のＯＰアンプ１３６−１〜１３６−ｎは、回線デバイス１３２−１〜１３２−ｎと第２の終端部１３４−１〜１３４−ｎ（回線側）とをアイソレーションし、回線デバイス１３２−１〜１３２−ｎが自動等化機能を有していても、それにより発生する入力インピーダンスが回線側に現れるのを防止している。
【００１６】
第２の終端部１３４−１〜１３４−ｎは、有線通信回線１２０の終端に配置され、抵抗等のデバイスで構成されており抵抗値は可変である。被制御装置１３０の回線インピーダンスは、第２の終端部１３４−１〜１３４−ｎの各々のインピーダンスにより決定される。なお、被制御装置１３０の回線インピーダンスは、有線通信回線１２０の要求するインピーダンスと一致するように設定されなければならない。
ここで、被制御装置１３０に設定されるべき回線インピーダンスの値をＲ、通信手段１３１−１〜１３１−ｎの実装数、すなわち稼動している通信手段の数をｎ、第２の終端部１３４−１〜１３４−ｎの各々のインピーダンスの値をＲ１〜Ｒｎとすると、以下のような関係が成り立つ。
１／（Ｒ１）＋・・・＋１／（Ｒｎ）  ＝  １／Ｒ  （１）
上式において、第２の終端部１３４−１〜１３４−ｎの抵抗値Ｒ１〜ＲｎをそれぞれｎＲとすれば、
ｎ＊１／（ｎＲ）＝１／Ｒ  （２）
となり、式（１）を満たす。
このように、第２の終端部１３４−１〜１３４−ｎの抵抗値をｎＲとすることによって、被制御装置１３０のインピーダンスが有線通信回線１２０の要求するインピーダンスを満たすようにすることができる。
【００１７】
第１の終端部１３３−１〜１３３−ｎは、それぞれ通信手段１３１−１〜１３１−ｎにおいて回線デバイス１３２−１〜１３２−ｎと第２の終端部１３４−１〜１３４−ｎの間に設置される。
制御回路１３５−１〜１３５−ｎは、それぞれ通信手段１３１−１〜１３１−ｎにおいて第２の終端部１３４−１〜１３４−ｎに制御信号を出力している。また、制御回路１３５−１〜１３５−ｎは、他の制御回路に対して自身の制御情報を通知する。
【００１８】
次に、通信手段１３１−１を例に取り、通信装置の制御動作について説明する。
【００１９】
制御回路１３５−１は、通信手段１３１−１自身の制御情報と、その他の通信手段１３１−２〜１３１−ｎから送られてくる制御情報を利用して、被制御装置１３０内に実装されている通信手段１３１の実装数を把握する。実装数を把握した後、制御回路１３５−１は、有線通信回線１２０が要求するインピーダンスに被制御装置１３０に実装される通信手段１３１の実装数を乗じ、得られた値を第２の終端部１３４−１の抵抗値として設定する。
これにより、被制御装置１３０側の回線インピーダンスが有線通信回線１２０の規格を満たすようにすることができる。
【００２０】
また、上述したように通信手段１３１−１内の第１の終端部１３３−１はＯＰアンプ１３６−１を内蔵しているため、第２の終端部１３４−１側のインピーダンスが回線デバイス１３２−１側に、また、回線デバイス１３２−１側のインピーダンスが第２の終端部１３４−１側に現れるのを防ぐことができる。このため、回線デバイス１３２−１が回線との等化機能を有している場合でも、被制御装置１３０自体の回線インピーダンスは変化しない。
【００２１】
以上のように、この実施の形態１によれば、通信手段１３１−１〜１３１−ｎ内にそれぞれ実装された制御回路１３５−１〜１３５−ｎが、第２の終端部１３４−１〜１３４−ｎの抵抗値を制御することにより、被制御装置１３０の回線インピーダンスが有線通信回線１２０の規格を満たすようにした。また、回線デバイス１３２−１〜１３２−ｎと第２の終端部１３４−１〜１３４−ｎの間に第１のＯＰアンプ１３６−１〜１３６−ｎを設けることにより、回線デバイス１３２−１の状態が、被制御装置１３０の回線インピーダンスに影響を及ぼすことを防ぐことができる。
よって、単一の有線通信回線でシステムの多重化を行う場合でも、回線とのインピーダンス整合を保つことができる。
【００２２】
実施の形態２．
図２はこの発明の実施の形態２による通信装置を用いた有線通信システムの構成を示すブロック図である。図１と同一の符号は同一の構成要素を表している。
図に示すように、制御装置１１０と被制御装置２３０（通信装置）が、有線通信回線１２０を介して接続されている。
【００２３】
被制御装置２３０には、有線通信回線１２０を介して制御装置１１０と接続する通信手段２３１−１〜２３１−ｎ（ｎは自然数）と制御回路２３５が備えられている。
通信手段２３１−１〜２３１−ｎのそれぞれには、回線デバイス２３２−１〜２３２−ｎ（デバイス）、第１の終端部２３３−１〜２３３−ｎ、第２の終端部２３４−１〜２３４−ｎ（可変抵抗）が備えられている。
第１の終端部２３３−１〜２３３−ｎには、それぞれ第１のＯＰアンプ２３６−１〜２３６−ｎ（回路素子）、及び終端Ａ２３７−１〜２３７−ｎが備えられている。
回線デバイス２３２−１〜２３２−ｎ、第１の終端部２３３−１〜２３３−ｎは、実施の形態１の回線デバイス１３２−１〜１３２−ｎ、第１の終端部１３３−１〜１３３−ｎと同様の機能を有する。
【００２４】
第２の終端部２３４−１〜２３４−ｎは、有線通信回線１２０の終端に配置され、抵抗等のデバイスで構成されており抵抗値は可変である。第２の終端部２３４−１〜２３４−ｎのそれぞれのインピーダンスの値が、被制御装置２３０の回線インピーダンスの値となる。第２の終端部２３４−１〜２３４−ｎのインピーダンスは、有線通信回線１２０が要求するインピーダンスと通信手段２３１の実装数との積で決められている。ここで実装数とは、運用系として稼動している通信手段の数である。
第１の終端部２３３−１〜２３３−ｎは、それぞれ通信手段２３１−１〜２３１−ｎにおいて回線デバイス２３２−１〜２３２−ｎと第２の終端部２３４−１〜２３４−ｎの間に設置される。
【００２５】
制御回路２３５は、通信手段２３１−１〜２３１−ｎから通知される制御情報に基づいて、第２の終端部２３４−１〜２３４−ｎに制御命令を出力する。
【００２６】
次に、通信手段２３１−１を例に取り、制御動作について説明する。
【００２７】
制御回路２３５は、通信手段２３１−１〜２３１−ｎから通知される実装情報に基づいて、被制御装置２３０内に実装されている通信手段２３１の実装数を把握する。実装数を把握した後、制御回路２３５は有線通信回線１２０が要求するインピーダンスに通信手段２３１の実装数を乗じ、得られた値を第２の終端部２３４−１の抵抗値として設定するように第２の終端部２３４に制御命令を通知する。第２の終端部２３４−１は、この制御命令を受けて抵抗値を変更する。
これにより、被制御装置２３０側の回線インピーダンスが有線通信回線１２０の規格を満たすようにすることができる。
【００２８】
また、通信手段２３３−１内の第１の終端部２３３−１はＯＰアンプ２３６−１を内蔵しているため、第２の終端部２３４−１側のインピーダンスが回線デバイス２３２−１側に、また、回線デバイス２３２−１側のインピーダンスが第２の終端部２３４−１側に現れるのを防ぐことができる。このため、回線デバイス２３２−１が回線との等化機能を有している場合でも、被制御装置２３０自体の回線インピーダンスは変化しない。
【００２９】
以上のように、この実施の形態２によれば、被制御装置２３０に実装された制御回路２３５が、第２の終端部２３４−１〜２３４−ｎの抵抗値を制御することにより、被制御装置２３０の回線インピーダンスが有線通信回線１２０の規格を満たすようにした。また、回線デバイス２３２−１〜２３２−ｎと第２の終端部２３４−１〜２３４−ｎの間に第１のＯＰアンプ２３６−１〜２３６−ｎを設けることにより、回線デバイス２３２−１の状態が、被制御装置２３０の回線インピーダンスに影響を及ぼすことを防ぐことができる。
よって、単一の有線通信回線でシステムの多重化を行う場合でも、回線とのインピーダンス整合を保つことができる。
また、各通信手段２３１−１〜２３１−ｎに制御回路を装備しないため、簡易なシステム構成とすることができる。
【００３０】
実施の形態３．
図３は、この発明の実施の形態３による通信装置を用いた有線通信システムの構成を示すブロック図である。図１と同一の符号は同一の構成要素を表している。
図に示すように、制御装置１１０と被制御装置３３０（通信装置）が、有線通信回線１２０を介して接続されている。
【００３１】
被制御装置３３０には、有線通信回線１２０を介して制御装置１１０と接続する通信手段３３１−１〜３３１−ｎ（ｎは自然数）と第３の終端部３３４が備えられている。
通信手段３３１−１〜３３１−ｎのそれぞれには、回線デバイス３３２−１〜３３２−ｎ（デバイス）、第１の終端部３３３−１〜３３３−ｎが備えられている。
第１の終端部３３３−１〜３３３−ｎには、それぞれ第１のＯＰアンプ３３６−１〜３３６−ｎ、及び終端Ａ３３７−１〜３３７−ｎ（第２の抵抗器）が備えられている。第１の終端部３３３−１〜３３３−ｎは、第３の終端部３３４（第１の抵抗器）と接続される。
ここで、回線デバイス３３２−１〜３３２−ｎ、第１の終端部３３３−１〜３３３−ｎは、実施の形態１の回線デバイス１３２−１〜１３２−ｎ、第１の終端部１３３−１〜１３３−ｎと同一の機能を有する。
【００３２】
第３の終端部３３４には、終端Ｂ３３９、及び第２のＯＰアンプ３３８が備えられている。第３の終端部３３４は、抵抗等のデバイスで構成されており、有線通信回線１２０の終端となっている。
第２のＯＰアンプ３３８は、通信手段３３１−１〜３３１−ｎと第３の終端部３３４（回線側）とをアイソレーションし、回線デバイス３３２−１〜３３２−ｎが自動等化機能を有していても、それにより発生する入力インピーダンスが回線側に現れるのを防止している。
実施の形態３では、第３の終端部３３４のインピーダンスの値が、被制御装置３３０の回線インピーダンスの値となる。第３の終端部３３４のインピーダンスは、有線通信回線１２０が要求するインピーダンスの値に設定されている。
【００３３】
また、通信手段３３１−１〜３３１−ｎ内の第１のＯＰアンプ３３６−１〜３３６−ｎと、第３の終端部３３４に内蔵された第２のＯＰアンプ３３８により、第３の終端部３３４側のインピーダンスが回線デバイス３３２−１〜３３２−ｎ側に、また、回線デバイス３３２−１〜３３２−ｎ側のインピーダンスが第３の終端部３３４側に現れるのを防ぐことができる。このため、回線デバイス３３２−１〜３３２−ｎが回線との等化機能を有している場合でも、被制御装置３３０は、内部で稼動する通信手段３３１−１〜３３１−ｎの実装数に拘わらずに一定の回線インピーダンスを保有する。
なお、実施の形態３では、第１のＯＰアンプ３３６−１〜３３６−ｎと、第２のＯＰアンプ３３８を設けているが、第１のＯＰアンプ３３６−１〜３３６−ｎのみ、または第２のＯＰアンプ３３８のみを設けるようにしてもよい。この場合にも、回線デバイス側のインピーダンスが回線側に現れるのを防ぐようにすることができる。
【００３４】
以上のように、この実施の形態３によれば、被制御装置３３０内の第３の終端部３３４に内蔵されている終端Ｂ３３９のインピーダンスを有線通信回線の規格で要求されるインピーダンスの値と等しくした。また、第１の終端部３３３−１〜３３３−ｎに第１のＯＰアンプ３３６−１〜３３６−ｎを備え、第３の終端部３３４に第２のＯＰアンプ３３８を備えたことによって、第３の終端部３３４側のインピーダンスが回線デバイス３３２−１〜３３２−ｎ側に、また、回線デバイス３３２−１〜３３２−ｎ側のインピーダンスが終端Ｂ３３９側に現れないようにした。これにより、被制御装置３３０の回線インピーダンスは変化することがなく、また、通信手段３３１の実装数に関わらず一定である。よって、常に有線通信回線１２０とのインピーダンス整合を保つことができる。
【００３５】
【発明の効果】
以上のように、この発明によれば、装置多重化を保持したままでシステムの簡略化を実現し、さらに被制御装置の終端におけるインピーダンスの整合性をとることができる通信装置が得られるという効果がある。
【図面の簡単な説明】
【図１】この発明の実施の形態１による、通信装置を用いた有線通信システムの構成を示すブロック図である。
【図２】この発明の実施の形態２による、通信装置を用いた有線通信システムの構成を示すブロック図である。
【図３】この発明の実施の形態３による、通信装置を用いた有線通信システムの構成を示すブロック図である。
【符号の説明】
１１０  制御装置、１１１  通信手段、１１２  回線デバイス、１２０  有線通信回線、１３０，２３０，３３０  被制御装置（通信装置）、１３１−１〜１３１−ｎ，２３１−１〜２３１−ｎ，３３１−１〜３３１−ｎ  通信手段、１３２−１〜１３２−ｎ，２３２−１〜２３２−ｎ，３３２−１〜３３２−ｎ  回線デバイス、１３３−１〜１３３−ｎ，２３３−１〜２３３−ｎ，３３３−１〜３３３−ｎ  第１の終端部、１３４−１〜１３４−ｎ，２３４−１〜２３４−ｎ  第２の終端部（可変抵抗）、１３５−１〜１３５−ｎ，２３５  制御回路、１３６−１〜１３６−ｎ，２３６−１〜２３６−ｎ，３３６−１〜３３６−ｎ  第１のＯＰアンプ（回路素子）、１３７−１〜１３７−ｎ，２３７−１〜２３７−ｎ終端Ａ、３３７−１〜３３７−ｎ  終端Ａ（第２の抵抗器）、３３４  第３の終端部、３３８  第２のＯＰアンプ（回路素子）、３３９  終端Ｂ（第１の抵抗器）。
【図１】
2004320540.tif 000003
【図２】
2004320540.tif 000004
【図３】
2004320540.tif 000005